(57)【要約】【課題】ホログラムが形成された光ディスクに情報を精度良く記録できるようにする。【解決手段】情報記録装置６０は、光ビームＬ０をグレーティング７２により回折させて０次光及び１次光をそれぞれ記録光ビームＬＥ及びサーボ光ビームＬＳとし、それぞれを対物レンズ７６により集光して焦点ＦＥ及びＦＳを形成し、トラックＴの走行方向に沿って焦点ＦＳを焦点ＦＥよりもわずかに先行させ、サーボ反射光ビームＬＳＲを検出して対物レンズ７６のサーボ制御を行うことにより、対象トラックＴＧにおける初期ホログラムＩＨが未破壊の箇所にサーボ反射光ビームＬＳＲを追従させることができ、これに伴い記録光ビームＬＥの焦点ＦＥを目標位置ＰＧに合わせることができるので、当該目標位置ＰＧの初期ホログラムＩＨを破壊して記録マークＲＭを適切に形成することができる。【選択図】図１２
2009271954.tif 000002
【特許請求の範囲】
【請求項１】
情報を記録すべき記録層内に螺旋状又は同心円状のトラックに沿って予め初期ホログラムが形成された光ディスクを回転駆動するディスク駆動部と、
上記情報に応じた光ビームを出射する光源と、
上記光ビームを第１光ビーム及び第２光ビームに分光する分光部と、
上記記録層内に上記第１光ビーム及び上記第２光ビームを集光することにより上記第１光ビームの第１焦点近傍における上記初期ホログラムを破壊させる対物レンズと、
上記第１光ビーム又は上記第２光ビームの少なくとも一方が上記光ディスクにより反射されてなる反射光ビームを受光する受光部と、
上記受光部による受光結果を基に、上記対物レンズにより集光される上記第１光ビームの第１焦点を上記トラックのうち記録対象とする対象トラックに合わせるよう上記対物レンズを移動させる移動部と
を有し、
上記分光部は、
上記対物レンズにより集光された上記第２光ビームの第２焦点を上記初期ホログラムの未破壊部分に位置させ、且つ上記トラックを横切るトラッキング方向に関し上記第１焦点及び上記第２焦点の位置を揃え或いは上記第２焦点と上記第１焦点との距離を上記トラックにおけるトラックピッチのｎ倍（ｎは１以上の整数）とするよう上記光ビームを分光し、
上記受光部は、
上記初期ホログラムにより上記第２光ビームの一部が反射されてなる第２反射光ビームの光量を受光する
情報記録装置。
【請求項２】
上記分光部は、
上記トラッキング方向に関して上記第１焦点と上記第２焦点との位置を揃え、且つ上記トラックの走行方向に関して上記第２焦点を上記第１焦点よりも先行させるよう上記光ビームを分光する
請求項１に記載の情報記録装置。
【請求項３】
上記分光部は、
上記初期ホログラム上において上記第１光ビームにより形成される第１スポットの中心点と上記第２光ビームにより形成される第２スポットの中心点との間隔を、当該第１スポットの半径及び当該第２スポットの半径を加算した値の等倍以上１．５倍未満とするよう、上記光ビームを分光する
請求項２に記載の情報記録装置。
【請求項４】
上記検出部における上記光量の検出結果を基に、上記光源から出射する光ビームの強度を制御するビーム強度制御部
をさらに有する請求項１に記載の情報記録装置。
【請求項５】
上記受光部は、
上記第２反射光ビームに加え、上記第１光ビームが上記対象トラックにより反射されてなる第１反射光ビームを受光し、
上記ビーム強度制御部は、
上記第１反射光ビームの受光結果を基に、上記第１焦点近傍の上記初期ホログラムを破壊し得るよう上記光ビームの強度を制御する
請求項４に記載の情報記録装置。
【請求項６】
上記ビーム強度制御部は、
上記第１反射光ビームの受光結果に加え、上記情報を基に上記光ビームの強度を制御する
請求項５に記載の情報記録装置。
【請求項７】
上記受光部は、
１のフォトディテクタに上記第１反射光ビームを受光する第１受光部及び上記第２反射光ビームを受光する第２受光部が形成されている
請求項５に記載の情報記録装置。
【請求項８】
上記ビーム強度制御部は、
上記第２反射光ビームの受光結果を基に、上記第２光ビームにより上記初期ホログラムを破壊しないよう上記光ビームの強度を制御する
請求項４に記載の情報記録装置。
【請求項９】
上記光源は、
上記情報に応じて変調された強度でなる上記光ビームを出射し、
上記ビーム強度制御部は、
上記第２反射光ビームの受光結果に加え、上記光ビームの変調状態を基に上記光ビームの強度を制御する
請求項８に記載の情報記録装置。
【請求項１０】
上記分光部は、
上記第２光ビームの強度を上記第１光ビームの強度よりも低減させるよう分光する
請求項１に記載の情報記録装置。
【請求項１１】
上記分光部は、
グレーティングでなり、上記光ビームを回折させた際の０次光を上記第１光ビームとし１次光を上記第２光ビームとする
請求項１に記載の情報記録装置。
【請求項１２】
上記受光部は、
上記第２反射光ビーム以外の光ビームを遮断するアパーチャを介して当該上記第２反射光ビームを受光する
請求項１に記載の情報記録装置。
【請求項１３】
情報を記録すべき記録層内に螺旋状又は同心円状のトラックに沿って予め初期ホログラムが形成された光ディスクを回転駆動するディスク駆動ステップと、
上記情報に応じた光ビームを所定の光源から出射する出射ステップと、
上記光ビームを第１光ビーム及び第２光ビームに分光する分光ステップと、
所定の対物レンズによって上記記録層内に上記第１光ビーム及び上記第２光ビームを集光することにより上記第１光ビームの第１焦点近傍における上記初期ホログラムを破壊させる集光ステップと、
上記第１光ビーム又は上記第２光ビームの少なくとも一方が上記光ディスクにより反射されてなる反射光ビームを受光する受光ステップと、
上記受光ステップによる受光結果を基に、上記対物レンズにより集光される上記第１光ビームの第１焦点を上記トラックのうち記録対象とする対象トラックに合わせるよう上記対物レンズを移動させる移動ステップと
を有し、
上記分光ステップでは、
上記対物レンズにより集光された上記第２光ビームの第２焦点を上記初期ホログラムの未破壊部分に位置させ、且つ上記トラックと直交するトラッキング方向に関し上記第１焦点及び上記第２焦点の位置を揃え或いは上記第２焦点と上記第１焦点と距離を上記トラックにおけるトラックピッチのｎ倍（ｎは１以上の整数）とするよう上記光ビームを分光し、
上記受光ステップでは、
上記初期ホログラムにより上記第２光ビームの一部が反射されてなる第２反射光ビームの光量を受光する
情報記録方法。
【発明の詳細な説明】
【技術分野】
【０００１】
本発明は情報記録装置及び情報記録方法に関し、例えば光ディスクに情報を記録する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射することにより、当該光ディスクの局所的な反射率等を変化させることにより、情報の記録を行うようになされている。
【０００４】
この光ディスクに関し、当該光ディスク上に形成される光スポットの大きさは、およそλ／ＮＡ（λ：光ビームの波長、ＮＡ:開口数）で与えられ、解像度もこの値に比例することが知られている。例えば、直径１２０［ｍｍ］の光ディスクにおよそ２５［ＧＢ］のデータを記録し得るＢＤの詳細については、非特許文献１に示されている。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
そこで、１枚の光ディスク内で記録層を重ねることにより、１枚の光ディスクにおける記録容量を増加させる手法も提案されている（例えば、非特許文献２参照）。
【０００７】
一方、光ディスクに対する情報の記録手法として、ホログラムを用いた光ディスク装置も提案されている（例えば、非特許文献３参照）。かかる光ディスク装置としては、光ディスクに局所的なホログラムを形成することにより情報を記録する方式（これをポジ型とも呼ぶ）と、光ディスクを初期化することにより予めホログラム（以下、これを初期ホログラムと呼ぶ）を形成しておき、これを局所的に破壊することにより情報を記録する方式（これをネガ型とも呼ぶ）とが提案されている。
【０００８】
ポジ型の光ディスク装置は、ユーザが光ディスクに情報を記録する際にホログラムを形成する必要があるため、光ディスクの両面から光ビームを照射する、いわゆる両面光学系が必要となり、構成が比較的複雑となってしまう。
【０００９】
これに対しネガ型の光ディスク装置は、ユーザが光ディスクに情報を記録する際に高い熱エネルギーや光エネルギー等により初期ホログラムを破壊すれば良いため、光ディスクの片面のみに対し光ビームを照射する、いわゆる片面光学系で足り、ポジ型の光ディスク装置よりも構成を簡易化することができる。
【非特許文献１】Y.Kasami,Y.Kuroda, K.Seo, O.Kawakubo, S.Takagawa, M.Ono, and M.Yamada, Jpn. J. Appl.Phys., 39, 756(2000)
【非特許文献２】I.Ichimura etal, Technical Digest of ISOM’04, pp52,Oct.11-15, 2005, Jeju Korea
【非特許文献３】R. R. McLeod etal.,“Microholographicmultilayer optical disk data storage,” Appl. Opt., Vol. 44, 2005, pp3197
【発明の開示】
【発明が解決しようとする課題】
【００１０】
ところでネガ型の光ディスク装置では、上述したように初期化処理として光ディスクに予め初期ホログラムを形成しておく必要がある。かかる初期化処理では、例えば平面波を互いに向かい合うよう進行させることにより、光ディスク全体に体積型の初期ホログラムを形成することができる。この場合、初期化処理は例えば５［ｍｓ］程度で完了することができる。
【００１１】
しかしながら、例えば直径約１２０［ｍｍ］でなる光ディスクに平面波を照射するには、高い光強度のレーザ光源等が必要となる。このため、光ディスクを初期化する初期化装置は、構成が大規模となり複雑化してしまう。この場合、光ディスクの製造工場等で初期化を行ってから出荷することにより、ユーザが使用する光ディスク装置の小型化を図ることができる。
【００１２】
一方、光ディスクは、ユーザによる日常的な使用状態においてホログラム及び初期ホログラムの形成状態を維持することも要求される。このため、光ディスクの記録層を構成する材料は、比較的低い光強度の光に対しては反応せず、比較的高い光強度でなる光ビームに対して反応するよう、光強度に対する感度に閾値を持っていることが望ましい。
【００１３】
しかしながら、光ディスクにこのような閾値を持たせた場合、初期化に要する光強度も大きくなる。このため初期化装置は、かかる光ディスクを初期化するために非常に高い光強度のレーザ光源等が必要となり、実質的に実現することが極めて困難である、という問題があった。
【００１４】
またこの光ディスクに情報を記録する場合、形成された初期ホログラムに対し記録用光ビームの焦点を精度良く合わせた上で、当該初期ホログラムを局所的に破壊する必要がある。
【００１５】
しかしながら、かかる光ディスクに記録用光ビームの焦点を合わせるには、例えば光ディスクにサーボ用の面を設けておき、別途サーボ用光ビームを照射する手法等が考えられるものの、構成が複雑になってしまうという問題があった。
【００１６】
本発明は以上の点を考慮してなされたもので、ホログラムが形成された光ディスクに対し簡易な構成により情報を精度良く記録し得る情報記録装置及び情報記録方法を提案しようとするものである。
【課題を解決するための手段】
【００１７】
かかる課題を解決するため本発明の情報記録装置及び情報記録方法においては、情報を記録すべき記録層内に螺旋状又は同心円状のトラックに沿って予め初期ホログラムが形成された光ディスクを回転駆動し、情報に応じた光ビームを所定の光源から出射し、光ビームを第１光ビーム及び第２光ビームに分光し、所定の対物レンズによって記録層内に第１光ビーム及び第２光ビームを集光することにより第１光ビームの第１焦点近傍における初期ホログラムを破壊させ、第１光ビーム又は第２光ビームの少なくとも一方が光ディスクにより反射されてなる反射光ビームを受光し、受光ステップによる受光結果を基に、対物レンズにより集光される第１光ビームの第１焦点をトラックのうち記録対象とする対象トラックに合わせるよう対物レンズを移動させるようにし、光ビームを分光するときには、対物レンズにより集光された第２光ビームの第２焦点を初期ホログラムの未破壊部分に位置させ、且つトラックと直交するトラッキング方向に関し上記第１焦点及び上記第２焦点の位置を揃え或いは第２焦点と第１焦点と距離をトラックにおけるトラックピッチのｎ倍（ｎは０以上の整数）とするよう光ビームを分光し、反射光ビームを受光するときには、初期ホログラムにより第２光ビームの一部が反射されてなる第２反射光ビームの光量を受光するようにした。
【００１８】
本発明では、未破壊の初期ホログラムでなるトラックに第２光ビームの焦点を合わせることにより第２反射光ビームを確実に受光でき、その受光結果を基に対物レンズを移動させることにより、第１光ビームによる初期ホログラムの破壊と並行して第１焦点を目標トラックに精度良く合わせることができる。
【発明の効果】
【００１９】
本発明によれば、未破壊の初期ホログラムでなるトラックに第２光ビームの焦点を合わせることにより第２反射光ビームを確実に受光でき、その受光結果を基に対物レンズを移動させることにより、第１光ビームによる初期ホログラムの破壊と並行して第１焦点を目標トラックに精度良く合わせることができるので、かくしてホログラムが形成された光ディスクに情報を精度良く記録し得る情報記録装置及び情報記録方法を実現できる。
【発明を実施するための最良の形態】
【００２０】
以下、図面について、本発明の一実施の形態を詳述する。
【００２１】
（１）光ディスクの構成
まず、本実施の形態において情報記録媒体として用いられる光ディスク１００について説明する。図１に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００２２】
また光ディスク１００は、図２に断面図を示すように、情報を記録するための記録層１０１を中心に有しており、第１面１００Ａ側に基準面１０２が設けられている。
【００２３】
記録層１０１は、照射された光強度によって屈折率が変化するフォトポリマ等でなり、波長約４０５［ｎｍ］でなる青色光ビームに反応するようになされている。実際上、記録層１０１は、第１面１００Ａ側及びその反対側である第２面１００Ｂ側の双方向から青色光ビームがそれぞれ照射されて両者が干渉した際に、その干渉縞を図３に示すようなホログラムとして記録するようになされている（詳しくは後述する）。
【００２４】
基準面１０２は、誘電体多層膜等でなり、波長４０５［ｎｍ］でなる青色光ビームをほぼ全て透過すると共に、波長６５０［ｎｍ］でなる赤色光ビームをほぼ全て反射するといった波長選択性（ダイクロイック性）を有している。
【００２５】
また基準面１０２は、トラッキングサーボ及びフォーカスサーボに用いられる案内溝を形成しており、具体的には、一般的なＢＤ−Ｒ（Recordable）ディスク等と同様のランド及びグルーブにより螺旋状のトラックを形成している。
【００２６】
このトラックには、所定の記録単位ごとに一連の番号でなるアドレス情報やトラック情報等が付されており、情報を記録又は再生するトラックを当該アドレス情報やトラック情報等により特定し得るようになされている。
【００２７】
この基準面１０２は、光ビームの照射位置を定める（すなわち位置決めを行う）際の基準位置を表すものとして用いられることが想定されている。
【００２８】
なお基準面１０２は、案内溝に代えてピット等が形成され、或いは案内溝とピット等とが組み合わされていても良く、要は光ビームによりアドレス情報を認識し得れば良い。
【００２９】
この光ディスク１００は、製造工場等において物理的に製造された後、後述する初期化処理が施された上で出荷され、ユーザにより情報の記録及び再生が行われるようになされている。
【００３０】
（２）光ディスクの初期化
（２−１）初期化装置の全体構成
次に、光ディスク１００を初期化する初期化装置１０について説明する。初期化装置１０は、主に光ディスク１００の製造工場等において、光ディスク１００の初期化処理を行う際に用いられることが想定されている。
【００３１】
図４に示すように、初期化装置１０は、制御部１１により全体を統括制御するようになされている。制御部１１は、図示しないＣＰＵ（Central Processing Unit）を中心に構成されており、図示しないＲＯＭ（Read Only Memory）から基本プログラムや初期化プログラム等の各種プログラムを読み出し、これらを図示しないＲＡＭ（Random Access Memory）に展開する。これにより制御部１１は、初期化処理等の各種処理を実行するようになされている。
【００３２】
例えば制御部１１は、図３に示す光ディスク１００が装填された状態で、図示しない操作部等を介して初期化命令を受け付けると、初期化プログラム等に従い駆動命令を駆動制御部１２へ供給する。
【００３３】
駆動制御部１２は、供給される信号に対する演算処理や、後述するアクチュエータに供給すべき供給信号の生成等を行うようになされている。また駆動制御部１２は、各種の駆動制御処理を実行するようにもなされている。
【００３４】
駆動制御部１２は、駆動命令に従ってスピンドルモータ１４を駆動制御することにより、光ディスク１００を例えば線速度一定とするよう回転させる。また駆動制御部１２は、駆動命令に従ってスレッドモータ１５を駆動制御することにより、光ピックアップ１６を移動軸１５Ａ及び１５Ｂに沿って、光ディスク１００の径方向（すなわち内周方向又は外周方向）に移動させる。
【００３５】
光ピックアップ１６は、図５に示すように、側面略コ字状に構成されており、光ディスク１００に対して両面から焦点を合わせて光ビームを照射し得るようになされている。また光ピックアップ１６は、光ディスク１００により透過又は反射された光ビームを検出し、その検出結果を駆動制御部１２へ供給する。
【００３６】
さらに光ピックアップ１６は、駆動制御部１２の制御に基づいてフォーカス制御及びトラッキング制御等の位置制御を行うことにより、光ビームを所望の位置に集光し得るようになされている（詳しくは後述する）。
【００３７】
因みにフォーカス方向とは、光ディスク１００に対し近接又は離隔する方向を表し、トラッキング方向とは当該光ディスク１００の径方向（すなわち内周側又は外周側へ向かう方向）を表している。またトラッキング方向は、光ディスク１００に形成されたトラックと直交する方向でもある。
【００３８】
このように初期化装置１０は、スピンドルモータ１４によって光ディスク１００を回転駆動すると共にスレッドモータ１５によって光ピックアップ１６を径方向に移動させることにより、当該光ディスク１００の様々な箇所に光ビームを集光し得るようになされている。
【００３９】
（２−２）初期化装置における光ピックアップの構成
次に、光ピックアップ１６の構成について説明する。光ピックアップ１６は、図６に模式的に示すように多数の光学部品が設けられており、大きく分けてサーボ光学系２０及び初期化光学系３０により構成されている。
【００４０】
（２−２−１）サーボ光学系の構成
サーボ光学系２０は、光ディスク１００の第１面１００Ａに対して赤色光ビームＬｒ１を照射し、当該光ディスク１００により当該赤色光ビームＬｒ１が反射されてなる赤色反射光ビームＬｒ２を受光するようになされている。
【００４１】
サーボ光学系２０のサーボ用レーザ２１は、例えば半導体レーザでなり、波長約６５０［ｎｍ］の赤色レーザ光を出射し得るようになされている。実際上サーボ用レーザ２１は、制御部１１（図４）の制御に基づいて発散光でなる所定光量の赤色光ビームＬｒ１を発射し、コリメータレンズ２２へ入射させる。
【００４２】
コリメータレンズ２２は、赤色光ビームＬｒ１を発散光から平行光に変換し、ビームスプリッタ２３へ入射させる。
【００４３】
ビームスプリッタ２３は、光ビームの波長により反射率が異なる波長選択性（ダイクロイック性）を有しており、波長約６５０［ｎｍ］でなる光ビームをほぼ１００％の割合で反射すると共に、波長約４０５［ｎｍ］でなる光ビームをほぼ１００％の割合で透過するようになされている。
【００４４】
実際上、ビームスプリッタ２３は、波長約６５０［ｎｍ］でなる赤色光ビームＬｒ１をほぼ１００％の割合で反射し、次のビームスプリッタ２４へ入射させる。
【００４５】
ビームスプリッタ２４は、光ビームを約５０％の割合で透過すると共にその残りを反射するようになされている。実際上、ビームスプリッタ２４は、赤色光ビームＬｒ１を約５０％の割合で透過し、対物レンズ２５へ入射させる。
【００４６】
対物レンズ２５は、赤色光ビームＬｒ１を集光し、光ディスク１００の第１面１００Ａへ向けて照射する。このとき赤色光ビームＬｒ１は、光ディスク１００の基準面１０２において反射され、赤色光ビームＬｒ１と反対方向へ向かう赤色反射光ビームＬｒ２となる。
【００４７】
赤色反射光ビームＬｒ２は、赤色光ビームＬｒ１が収束光であったために発散光となり、対物レンズ２５により平行光に変換され、ビームスプリッタ２４へ入射される。このとき赤色反射光ビームＬｒ２は、ビームスプリッタ２４により約５０％の割合で反射され、集光レンズ２６へ入射される。
【００４８】
集光レンズ２６は、赤色光ビームＬｒ２を収束させ、図示しないシリンドリカルレンズ等により非点収差を持たせた上で当該赤色反射光ビームＬｒ２をフォトディテクタ２７へ照射する。
【００４９】
フォトディテクタ２７は、図７（Ａ）に示すように、赤色反射光ビームＬｒ２が照射される面上に、格子状に分割された４つの検出領域２７Ａ、２７Ｂ、２７Ｃ及び２７Ｄを有している。因みに矢印ａ１により示される方向（図中の縦方向）は、赤色光ビームＬｒ１が基準面１０２（図３）に照射されるときの、当該基準面１０２に設けられているトラックの走行方向に対応している。
【００５０】
フォトディテクタ２７は、検出領域２７Ａ、２７Ｂ、２７Ｃ及び２７Ｄにより赤色反射光ビームＬｒ２の一部をそれぞれ検出し、このとき検出した光量に応じて検出信号Ｕ１Ａ、Ｕ１Ｂ、Ｕ１Ｃ及びＵ１Ｄ（以下、これらをまとめてＵ１Ａ〜Ｕ１Ｄと呼ぶ）をそれぞれ生成して、これらを駆動制御部１２（図４）へ送出する。
【００５１】
因みにサーボ光学系２０では、対物レンズ２５により赤色光ビームＬｒ１が集光され光ディスク１００の基準面１０２へ照射されるときの合焦状態が、集光レンズ２６により赤色反射光ビームＬｒ２が集光されフォトディテクタ２７に照射されるときの合焦状態に反映されるよう、各種光学部品の光学的位置が調整されている。
【００５２】
駆動制御部１２のサーボ制御回路１２Ａは、対物レンズ２５について非点収差法によりフォーカス制御を行うべく、次に示す（１）式に従って検出信号Ｕ１Ａ〜Ｕ１Ｄを基にフォーカスエラー信号ＳＦＥ１を算出する。
【００５３】
【数１】
2009271954.tif 000003
【００５４】
このフォーカスエラー信号ＳＦＥ１は、赤色光ビームＬｒ１の焦点Ｆｒと光ディスク１００の基準面１０２とのフォーカス方向に関するずれ量を表すことになる。
【００５５】
続いてサーボ制御回路１２Ａは、フォーカスエラー信号ＳＦＥ１を増幅する等してフォーカス駆動信号ＳＦＤ１を生成し、これをアクチュエータ２８へ供給する。
【００５６】
アクチュエータ２８は、対物レンズ２５を保持するレンズホルダ（図示せず）と光ピックアップ１６との間に介在しており、フォーカス駆動信号ＳＦＤ１に基づき、対物レンズ２５をフォーカス方向へ駆動する。
【００５７】
かくして光ピックアップ１６は、フォーカスエラー信号ＳＦＥ１を値「０」に収束させるよう、すなわち赤色光ビームＬｒ１を光ディスク１００の基準面１０２に合焦させるよう、対物レンズ２５をフィードバック制御（すなわちフォーカス制御）する。
【００５８】
またサーボ制御回路１２Ａは、対物レンズ２５についてプッシュプル法によりトラッキング制御を行うべく、次に示す（２）式に従って検出信号Ｕ１Ａ〜Ｕ１Ｄを基にトラッキングエラー信号ＳＴＥ１を算出する。
【００５９】
【数２】
2009271954.tif 000004
【００６０】
このトラッキングエラー信号ＳＴＥ１は、赤色光ビームＬｒ１の焦点Ｆｒと光ディスク１００の基準面１０２における目標とするトラック（以下これを基準目標トラックと呼ぶ）とのずれ量を表すことになる。
【００６１】
続いてサーボ制御回路１２Ａは、トラッキングエラー信号ＳＴＥ１を基にトラッキング駆動信号ＳＴＤ１を生成し、アクチュエータ２８へ供給する。アクチュエータ２８は、トラッキング駆動信号ＳＴＤ１に従い対物レンズ２５をトラッキング方向へ駆動する。
【００６２】
かくして初期化装置１０は、赤色光ビームＬｒ１が光ディスク１００の基準面１０２における基準目標トラックに合焦するよう、対物レンズ２５をフィードバック制御（すなわちトラッキング制御）する。
【００６３】
このように光ピックアップ１６のサーボ光学系２０は、赤色光ビームＬｒ１を光ディスク１００の基準面１０２に照射し、その反射光である赤色反射光ビームＬｒ２の受光結果を基に、駆動制御部１２の制御に基づいて対物レンズ２５のフォーカス制御及びトラッキングシフト制御を行い、赤色光ビームＬｒ１を基準面１０２の基準目標トラックに追従させるようになされている。
【００６４】
（２−２−２）初期化光学系の構成
初期化光学系３０は、情報記録媒体としての光ディスク１００に対し、互いに逆方向から、すなわち両面からそれぞれ青色光ビームを集光し球面波として照射し、記録層１０１内で両光ビームの焦点を同一の位置に合わせるようになされている。
【００６５】
初期化光学系３０の初期化用レーザ３１は、例えば半導体レーザでなり、波長約４０５［ｎｍ］の青色レーザ光を出射し得るようになされている。実際上、初期化用レーザ３１は、制御部１１（図４）の制御に基づき、発散光でなる青色光ビームＬｂ０を一定の光強度で射出し、コリメータレンズ３２へ入射させる。
【００６６】
コリメータレンズ３２は、青色光ビームＬｂ０を発散光から平行光に変換し、ビームスプリッタ３３へ入射させる。
【００６７】
ビームスプリッタ３３は、光ビームを約５０％の割合で透過し、残りの約５０％を反射するようになされている。実際上、ビームスプリッタ３３は、青色光ビームＬｂ０の約５０％を透過することにより青色光ビームＬｂ１とし、残りの約５０％を反射することにより青色光ビームＬｂ２とする。
【００６８】
青色光ビームＬｂ１は、ミラー３４により反射された後、ビームスプリッタ３５へ入射される。ビームスプリッタ３５は、青色光ビームＬｂ１を所定の割合で透過させ、リレーレンズ３６へ入射させる。
【００６９】
リレーレンズ３６は、可動レンズ３６Ａにより青色光ビームＬｂ１を平行光から収束光又は発散光に変換し、さらに固定レンズ３６Ｂにより当該青色光ビームＬｂ１の収束状態を変換して、ビームスプリッタ２３へ入射させる。
【００７０】
ここで可動レンズ３６Ａは、図示しないアクチュエータにより青色光ビームＬｂ１の光軸方向に移動されるようになされている。実際上、リレーレンズ３６は、制御部１１（図４）の制御に基づき当該アクチュエータによって可動レンズ３６Ａを移動させることにより、固定レンズ３６Ｂから出射される青色光ビームＬｂ１の収束状態を変化させ得るようになされている。
【００７１】
ビームスプリッタ２３は、青色光ビームＬｂ１をその波長に応じて透過し、ビームスプリッタ２４へ入射させる。ビームスプリッタ２４は、青色光ビームＬｂ１を所定の割合で透過し、対物レンズ２５へ入射させる。
【００７２】
対物レンズ２５は、青色光ビームＬｂ１を集光することにより球面波とし、光ディスク１００の第１面１００Ａへ照射する。因みに対物レンズ２５は、青色光ビームＬｂ１に関しては、リレーレンズ３６との光学的な距離等の関係により、開口数（ＮＡ）が０．５の集光レンズとして作用することになる。
【００７３】
このとき青色光ビームＬｂ１は、図８に示すように、基準面１０２を透過して記録層１０１内に合焦する。ここで当該青色光ビームＬｂ１の焦点Ｆｂ１の位置は、リレーレンズ３６の固定レンズ３６Ｂから出射される際の収束状態により定められることになる。すなわち青色光ビームＬｂ１の焦点Ｆｂ１は、可動レンズ３６Ａの位置に応じて記録層１０１内の第１面１００Ａ側又は第２面１００Ｂ側へ移動することになる。
【００７４】
実際上、初期化光学系３０は、制御部１１（図４）によって可動レンズ３６Ａの位置が制御されることにより、光ディスク１００の記録層１０１内における焦点Ｆｂ１（図８）の深さｄ１（すなわち基準面１０２からの距離）を調整するようになされている。
【００７５】
このように初期化光学系３０は、光ディスク１００の第１面１００Ａ側から青色光ビームＬｂ１を照射して焦点Ｆｂ１を記録層１０１内に位置させ、さらにリレーレンズ３６における可動レンズ３６Ａの位置に応じて当該焦点Ｆｂ１の深さｄ１を調整するようになされている。
【００７６】
一方、青色光ビームＬｂ２は、ビームスプリッタ３３において反射された後、ミラー４１及び４２において順次反射された後、リレーレンズ４３へ入射される。
【００７７】
リレーレンズ４３は、リレーレンズ３６と同様に構成されており、可動レンズ３６Ａ及び固定レンズ３６Ｂとそれぞれ対応する可動レンズ４３Ａ及び固定レンズ４３Ｂを有している。
【００７８】
リレーレンズ４３は、可動レンズ４３Ａにより青色光ビームＬｂ２を平行光から収束光又は発散光に変換し、さらに固定レンズ４３Ｂにより当該青色光ビームＬｂ２の収束状態を変換して、対物レンズ４５へ入射させる。
【００７９】
またリレーレンズ４３は、リレーレンズ３６と同様、制御部１１（図４）の制御に基づきアクチュエータ（図示せず）によって可動レンズ４３Ａを移動させることにより、固定レンズ４３Ｂから出射される青色光ビームＬｂ２の収束状態を変化させ得るようになされている。
【００８０】
対物レンズ４５は、対物レンズ２５と同様の光学特性を有しており、青色光ビームＬｂ２を集光することにより球面波とし、光ディスク１００の第２面１００Ｂへ照射する。
【００８１】
このとき青色光ビームＬｂ２は、図８に示したように記録層１０１内に合焦する。ここで当該青色光ビームＬｂ２の焦点Ｆｂ２の位置は、リレーレンズ４３の固定レンズ４３Ｂから出射される際の収束状態により定められることになる。すなわち当該焦点Ｆｂ２は、青色光ビームＬｂ１の焦点Ｆｂ１と同様、可動レンズ４３Ａの位置に応じて記録層１０１内の第１面１００Ａ側又は第２面１００Ｂ側へ移動することになる。
【００８２】
実際上、初期化装置１０は、制御部１１（図４）によってリレーレンズ３６における可動レンズ３６Ａの位置と共にリレーレンズ４３における可動レンズ４３Ａの位置が制御されることにより、光ディスク１００の記録層１０１内における青色光ビームＬｂ２の焦点Ｆｂ２（図８）の深さｄ２を調整するようになされている。
【００８３】
このとき初期化装置１０では、制御部１１により、光ディスク１００に面ブレ等が発生していないと仮定したときの（すなわち理想的な状態の）記録層１０１内における、対物レンズ２５が基準位置にあるときの青色光ビームＬｂ１の焦点Ｆｂ１に対して、対物レンズ４５が基準位置にあるときの青色光ビームＬｂ２の焦点Ｆｂ２を合わせるようになされている。
【００８４】
青色光ビームＬｂ２は、焦点Ｆｂ２において一度収束した後、発散しながらさらに進行する。以下、この光ビームを青色透過光ビームＬｂ３と呼ぶ。青色透過光ビームＬｂ３は、対物レンズ２５へ入射されることにより発散角が調整された後、青色光ビームＬｂ１の光路を反対方向へ辿るように、ビームスプリッタ２４、ビームスプリッタ２３及びリレーレンズ３６を順次介して、ビームスプリッタ３５へ入射される。
【００８５】
ビームスプリッタ３５は、青色透過光ビームＬｂ３を所定の割合で反射し、集光レンズ４６により収束させ、図示しないシリンドリカルレンズ等により非点収差を持たせた上で当該青色透過光ビームＬｂ３をフォトディテクタ４７へ照射する。
【００８６】
フォトディテクタ４７は、図７（Ｂ）に示すように、フォトディテクタ２７と同様、青色透過光ビームＬｂ３が照射される面上に、格子状に分割された４つの検出領域４７Ａ、４７Ｂ、４７Ｃ及び４７Ｄを有している。因みに矢印ａ２により示される方向（図中の縦方向）は、基準面１０２に設けられているトラックの走行方向に対応している。
【００８７】
フォトディテクタ４７は、検出領域４７Ａ、４７Ｂ、４７Ｃ及び４７Ｄにより青色透過光ビームＬｂ３の一部をそれぞれ検出し、このとき検出した光量に応じて検出信号Ｕ２Ａ、Ｕ２Ｂ、Ｕ２Ｃ及びＵ２Ｄ（以下、これらをまとめてＵ２Ａ〜Ｕ２Ｄと呼ぶ）をそれぞれ生成して、これらを駆動制御部１２（図４）へ送出する。
【００８８】
因みに初期化光学系３０では、記録層１０１内における青色光ビームＬｂ１の焦点Ｆｂ１に対する青色光ビームＬｂ２の焦点Ｆｂ２のずれ量が、集光レンズ４６により青色透過光ビームＬｂ３が集光されフォトディテクタ４７へ照射されるときの照射状態に反映されるよう、各種光学部品の光学的位置が調整されている。
【００８９】
駆動制御部１２のサーボ制御回路１２Ｂは、対物レンズ４５について非点収差法によりフォーカス制御を行うべく、次に示す（３）式に従って検出信号Ｕ２Ａ〜Ｕ２Ｄを基にフォーカスエラー信号ＳＦＥ２を算出する。
【００９０】
【数３】
2009271954.tif 000005
【００９１】
このフォーカスエラー信号ＳＦＥ２は、青色光ビームＬｂ１の焦点Ｆｂ１と青色光ビームＬｂ２の焦点Ｆｂ２とのフォーカス方向に関するずれ量を表すことになる。
【００９２】
続いてサーボ制御回路１２Ｂは、フォーカスエラー信号ＳＦＥ２を増幅する等してフォーカス駆動信号ＳＦＤ２を生成し、これをアクチュエータ４８へ供給する。
【００９３】
アクチュエータ４８は、対物レンズ４５を保持するレンズホルダ（図示せず）と光ピックアップ１６との間に設けられており、フォーカス駆動信号ＳＦＤ２に基づき、対物レンズ４５をフォーカス方向へ駆動する。
【００９４】
かくして光ピックアップ１６は、フォーカスエラー信号ＳＦＥ２を値「０」に収束させるよう、すなわちフォーカス方向に関し青色光ビームＬｂ２の焦点Ｆｂ２を青色光ビームＬｂ１の焦点Ｆｂ１に合わせるよう、対物レンズ４５をフォーカス制御する。
【００９５】
また駆動制御部１２のサーボ制御回路１２Ｂは、対物レンズ４５についてプッシュプル法によりトラッキング制御を行うべく、次に示す（４）式に従って検出信号Ｕ２Ａ〜Ｕ２Ｄを基にトラッキングエラー信号ＳＴＥ２を算出する。
【００９６】
【数４】
2009271954.tif 000006
【００９７】
このトラッキングエラー信号ＳＴＥ２は、青色光ビームＬｂ１の焦点Ｆｂ１と青色光ビームＬｂ２の焦点Ｆｂ２とのトラッキング方向に関するずれ量を表すことになる。
【００９８】
続いてサーボ制御回路１２Ｂは、トラッキングエラー信号ＳＴＥ２を基にトラッキング駆動信号ＳＴＤ２を生成し、アクチュエータ４８へ供給する。アクチュエータ４８は、トラッキング駆動信号ＳＴＤ２に従い対物レンズ４５をトラッキング方向へ駆動する。
【００９９】
かくして初期化装置１０は、トラッキングエラー信号ＳＴＥ２を値「０」に収束させるよう、すなわちトラッキング方向に関し青色光ビームＬｂ２の焦点Ｆｂ２を青色光ビームＬｂ１の焦点Ｆｂ１に追従させるよう、対物レンズ４５をトラッキング制御する。
【０１００】
このように光ピックアップ１６の初期化光学系３０は、光ディスク１００の第１面１００Ａ側及び第２面１００Ｂ側の双方から青色光ビームＬｂ１及びＬｂ２を照射すると共に、対物レンズ４５のフォーカス制御及びトラッキング制御を行う。これにより初期化光学系３０は、青色光ビームＬｂ２の焦点Ｆｂ２を青色光ビームＬｂ１の焦点Ｆｂ１に追従させ、青色光ビームＬｂ１及び青色光ビームＬｂ２を同一の焦点に集光させるようになされている。
【０１０１】
ところで青色光ビームＬｂ１は、対物レンズ２５に入射される直前のビーム径が約２〜４［ｍｍ］程度である一方、焦点Ｆｂ１近傍におけるビーム径が１［μｍ］以下となる。青色光ビームＬｂ２についても同様である。
【０１０２】
すなわち光ピックアップ１６の初期化光学系３０は、青色光ビームＬｂ１の焦点Ｆｂ１及び青色光ビームＬｂ２の焦点Ｆｂ２の近傍における光パワー密度を約４００万倍〜１６００万倍に高めることができる。
【０１０３】
このため初期化装置１０は、例えば光ディスク１００が光強度に対する感度に閾値を有している場合に、１００［ｍＷ］級程度の出力でなる初期化用レーザ３１（図６）を用いたとしても、焦点Ｆｂ１及びＦｂ２の近傍において必要十分な光強度とすることができるので、当該焦点Ｆｂ１及びＦｂ２の近傍にホログラムを適切に形成することができる。
【０１０４】
（２−３）初期ホログラムの形成
次に、初期化装置１０による光ディスク１００の初期化について説明する。初期化装置１０は、光ディスク１００に上述したネガ型の記録方式で情報を記録できるよう、当該光ディスク１００の初期化を行う。
【０１０５】
具体的に初期化装置１０は、光ディスク１００を線速度一定となるように回転させると共に、光ピックアップ１６を内周側から外周側へ順次移動させながら、記録層１０１内に所定の光強度でなる青色光ビームＬｂ１及びＬｂ２を照射するようになされている。
【０１０６】
このとき初期化装置１０は、リレーレンズ３６及び４３を固定することにより、青色光ビームＬｂ１及びＬｂ２の焦点Ｆｂ１及びＦｂ２を、いずれも基準面１０２から所定の深さｄ１及びｄ２となる位置に保持する。
【０１０７】
これにより初期化装置１０は、図８及び図９に示すように、基準面１０２に形成されているトラックと対応するように、すなわち後に記録装置等によって情報が記録されるべき箇所に、線状の連続的なホログラム（以下、これを初期ホログラムＩＨと呼ぶ）を螺旋状に形成していく。このことは、他の観点から見れば、焦点Ｆｂ１及びＦｂ２を一致させたまま、光ディスク１００の記録層１０１内で両者の相対的な位置を螺旋状に移動させていることになる。
【０１０８】
この初期ホログラムＩＨは、詳細には、図３に示した楕円体状のホログラムを記録層１０１内で螺旋状に旋回移動させた際の軌跡に相当する形状でなり、記録ビーム径程度の幅を有し、また深さ方向には対物レンズの焦点深度程度の長さを有しているものの、図９に示したように、俯瞰した場合に１本の線として視認することができる。
【０１０９】
この場合、光ディスク１００の記録層１０１には、情報を記録すべき箇所（すなわちトラック）に相当する部分にのみ初期ホログラムＩＨを形成し、情報を記録すべきでない部分、すなわちトラックに相当する部分以外の部分については、何ら初期化を行わないことになる。
【０１１０】
この結果、光ディスク１００は、初期ホログラムＩＨが形成されていない部分については、記録層１０１を構成する材料の性質等により、光ビームの反射率を低いままとする一方、初期ホログラムが形成された部分については、ホログラムとしての性質により、光ビームの反射率を高めることになる。
【０１１１】
このとき初期化装置１０は、リレーレンズ３６及び４３を固定し焦点Ｆｂ１及びＦｂ２の深さｄ１及びｄ２を固定したまま記録層１０１内に初期ホログラムＩＨを形成することにより、当該初期ホログラムＩＨを仮想的な平面内に、全体的に薄い円盤状に形成することができる。以下、初期ホログラムＩＨにより形成される層を初期ホログラム層ＹＨと呼ぶ。
【０１１２】
これを換言すれば、初期化装置１０は、光ディスク１００の記録層１０１内における焦点Ｆｂ１及びＦｂ２の相対的な位置を、基準層１０２、第１面１００Ａ及び第２面１００Ｂ等とほぼ平行な仮想的な平面上で順次移動させることになる。
【０１１３】
さらに初期化装置１０は、リレーレンズ３６及び４３を制御して青色光ビームＬｂ１及びＬｂ２の焦点Ｆｂ１及びＦｂ２それぞれの深さｄ１及びｄ２を段階的に切り換えることにより、図１０に示すように、複数層（例えば２０層など）の初期ホログラム層ＹＨを形成するようになされている。
【０１１４】
これにより光ディスク１００の記録層１０１内には、厚さ方向に螺旋を揃えるよう複数の初期ホログラム層ＹＨが重ねられた状態で形成される。
【０１１５】
ここで記録層１０１は、構成材料の光学的性質により、光ビームの反射率が比較的低くなるようになされているものの、初期ホログラムＩＨが形成された箇所は、ホログラムとしての性質により、光ビームの反射率が比較的高くなっている。
【０１１６】
このように初期化装置１０は、光ディスク１００の記録層１０１内に、基準面１０２のトラックと対応するような線状の初期ホログラムＩＨを形成することにより、当該光ディスク１００の初期化を行うようになされている。
【０１１７】
（３）光ディスクへの情報の記録
（３−１）記録再生装置の全体構成
次に、初期化装置１０により初期化された光ディスク１００に情報を記録する情報記録装置６０についてについて説明する。
【０１１８】
情報記録装置６０は、初期化済みの光ディスク１００に対し一般のユーザが家庭等において情報を記録し、また当該光ディスク１００から情報を再生する際に利用されることが想定されている。
【０１１９】
情報記録装置６０は、図１１に示すように、初期化装置１０（図４）と類似した構成を有しており、制御部６１により全体を統括制御するようになされている。
【０１２０】
制御部６１は、図示しないＣＰＵを中心に構成されており、図示しないＲＯＭから基本プログラムや情報記録プログラム等の各種プログラムを読み出し、これらを図示しないＲＡＭに展開することにより、情報記録処理等の各種処理を実行するようになされている。
【０１２１】
駆動制御部６２は、供給される信号に対する処理や、後述するアクチュエータに供給すべき供給信号の生成等を行うようになされている。また駆動制御部６２は、各種の駆動制御処理を実行するようにもなされている。
【０１２２】
信号処理部６３は、符号化処理や復号化処理、或いは変調処理や復調処理等の種々の信号処理を行い得るようになされている。
【０１２３】
例えば制御部６１は、光ディスク１００が装填された状態で、図示しない外部機器等から情報記録命令、記録すべき情報及び当該情報を記録すべきアドレスを受け付けると、情報記録プログラム等に従い駆動命令を駆動制御部６２へ供給する。
【０１２４】
駆動制御部６２は、駆動命令に従ってスピンドルモータ６４を駆動制御することにより、光ディスク１００を例えば線速度一定とするよう回転させる。また駆動制御部６２は、駆動命令に従ってスレッドモータ６５を駆動制御することにより、光ピックアップ６６を移動軸６５Ａ及び６５Ｂに沿って移動させる。
【０１２５】
信号処理部６３は、記録すべき情報に対して所定の符号化処理や変調処理等を施すことにより、例えば値「０」及び「１」の符号で表される記録信号ＳＥを生成する。駆動制御部６２は、信号処理部６３から供給される記録信号ＳＥを基にレーザ駆動信号ＳＬＤを生成し、これを光ピックアップ６６へ供給する。
【０１２６】
因みにレーザ駆動信号ＳＬＤは、所定のライトストラテジ等に基づいて生成されており、その値が連続的に変動するようになされている。
【０１２７】
光ピックアップ６６は、後述するフォーカス制御及びトラッキング制御を行いながら、光ディスク１００の一面１００Ａ側から記録信号ＳＥに基づいた光ビームを照射し、当該記録信号ＳＥを情報として記録する。
【０１２８】
このように情報記録装置６０は、フォーカス制御及びトラッキング制御等の位置制御を行いながら、初期化済みの光ディスク１００に対して情報を記録するようになされている。
【０１２９】
（３−２）記録再生装置における光ピックアップの構成
次に、光ピックアップ６６の構成について説明する。光ピックアップ６６は、図１２に模式的に示すように、初期化装置１０の初期化光学系３０とは異なり、光ディスク１００の第１面１００Ａ側に青色光ビームを照射するようになされている。
【０１３０】
光ディスク１００に情報を記録する場合、駆動制御部６２のレーザ駆動回路６２Ａは、上述した記録信号ＳＥを基にレーザ駆動信号ＳＬＤを生成し、これをレーザダイオード７１へ供給する。
【０１３１】
レーザダイオード７１は、例えば半導体レーザでなり、波長約４０５［ｎｍ］の青色レーザ光を出射し得るようになされている。実際上レーザダイオード７１は、レーザ駆動回路６２Ａから供給されるレーザ駆動信号ＳＬＤに基づき、発散光でなる光ビームＬ０を比較的高い強度で出射し、グレーティング７２へ入射させる。
【０１３２】
グレーティング７２は、ブレーズドホログラフィックグレーティングでなり、光ビームＬ０を回折させる。このときグレーティング７２は、回折により生じる０次光ビーム及び１次光ビームをそれぞれ記録光ビームＬＥ及びサーボ光ビームＬＳとし、コリメータレンズ７３へ入射させる。またグレーティング７２は、青色光ビームＬｂ１０のおよそ９０％を記録光ビームＬＥとし、当該青色光ビームＬｂ１０のおよそ１０％をサーボ光ビームＬＳとする。
【０１３３】
因みにサーボ光ビームＬＳは、記録光ビームＬＥと光軸がわずかに相違しているものの、当該記録光ビームＬＥとほぼ同様の光路を進行する。このため図１２等においては、サーボ光ビームＬＳ及び記録光ビームＬＥの一方を部分的に省略している。
【０１３４】
コリメータレンズ７３は、記録光ビームＬＥ及びサーボ光ビームＬＳをそれぞれ発散光から平行光に変換し、ビームスプリッタ７４へ入射させる。ビームスプリッタ７４は、記録光ビームＬＥ及びサーボ光ビームＬＳをそれぞれ所定の割合で透過し、リレーレンズ７５へ入射させる。
【０１３５】
リレーレンズ７５は、初期化装置１０におけるリレーレンズ３６（図６）と同様に構成されており、可動レンズ７５Ａにより記録光ビームＬＥ及びサーボ光ビームＬＳをそれぞれ平行光から収束光又は発散光に変換する。さらにリレーレンズ７５は、固定レンズ７５Ｂにより記録光ビームＬＥ及びサーボ光ビームＬＳの収束状態をそれぞれ変換して、対物レンズ７６へ入射させる。
【０１３６】
対物レンズ７６は、記録光ビームＬＥ及びサーボ光ビームＬＳをそれぞれ集光し、光ディスク１００の第１面１００Ａへ照射する。記録光ビームＬＥ及びサーボ光ビームＬＳは、光ディスク１００の記録層１０１内において、それぞれ焦点ＦＥ及びＦＳに集光される。
【０１３７】
ここで記録光ビームＬＥの焦点ＦＥの位置は、リレーレンズ７５の固定レンズ７５Ｂから出射される際の収束状態により定められることになる。すなわち記録光ビームＬＥの焦点ＦＥは、制御部６１の制御の下で、可動レンズ７５Ａの位置に応じて記録層１０１内の第１面１００Ａ側又は第２面１００Ｂ側へ移動することになる。
【０１３８】
実際上制御部６１は、可動レンズ７５Ａの位置を制御することにより、光ディスク１００の記録層１０１内に複数形成されている初期ホログラム層ＹＨのうち、情報を記録すべき初期ホログラム層ＹＨ（以下これを対象初期ホログラム層ＹＨＧと呼ぶ）に対し記録光ビームＬＥの焦点ＦＥをおおよそ合わせる。
【０１３９】
因みに制御部６１は、図示しない外部機器から、記録すべき情報と共に当該情報を記録すべき初期ホログラム層ＹＨ及び当該初期ホログラムＹＨ上のトラックＴ（以下これを対象トラックＴＧと呼ぶ）の指示を取得するようになされている。
【０１４０】
ところで光ピックアップ６６は、グレーティング７２の光学特性や各種光学部品の相対的な位置関係等がそれぞれ適切に設定されている。これにより対象初期ホログラム層ＹＨＧでは、図１３に示すように、トラッキング方向に関し焦点ＦＳと焦点ＦＥとの位置を揃えると共に、トラックＴの走行方向に関し当該焦点ＦＳを当該焦点ＦＥよりも先行させるようになされている。
【０１４１】
すなわちサーボ光ビームＬＳの焦点ＦＳは、対象初期ホログラム層ＹＨＧにおける焦点ＦＥと同一のトラック上を、当該焦点ＦＥよりもわずかに先行する位置に照射される。
【０１４２】
ここで記録光ビームＬＥ及びサーボ光ビームＬＳの仮想的な中心点をそれぞれ点ＱＥ及び点ＱＳとし、対象初期ホログラム層ＹＨＧにおけるビームスポットの半径をそれぞれｄｅ及びｄｓとする。
【０１４３】
光ピックアップ６６は、図１３に示すように、点ＱＥ及び点ＱＳの間隔ｇを次に示す（５）式のように定めている。
【０１４４】
【数５】
2009271954.tif 000007
【０１４５】
ここで係数αは１≦α＜１．５を満たす値となっている。このため光ピックアップ６６は、対象初期ホログラム層ＹＨＧにおいて、記録光ビームＬＥ及びサーボ光ビームＬＳのビームスポットを互いに重ねることなく分離させ、且つ比較的近接させ得るようになされている。
【０１４６】
ところでサーボ光ビームＬＳは、光ディスク１００の初期ホログラム層ＹＨＧにおける初期ホログラムＩＨにより反射され、サーボ光ビームＬＳと反対方向へ向かうサーボ反射光ビームＬＳＲとなる。
【０１４７】
サーボ反射光ビームＬＳＲは、サーボ光ビームＬＳが収束光であったために発散光となり、対物レンズ７６及びリレーレンズ７５によりそれぞれ発散角を変換されてほぼ平行光となり、ビームスプリッタ７４へ入射される。
【０１４８】
このときサーボ反射光ビームＬＳＲは、ビームスプリッタ７４により所定の割合で反射され、集光レンズ７７へ入射される。集光レンズ７７は、サーボ反射光ビームＬＳＲを収束させ、図示しないシリンドリカルレンズ等により非点収差を持たせた上でフォトディテクタ７８へ照射する。
【０１４９】
フォトディテクタ７８は、図１４に示すように、サーボ反射光ビームＬＳＲが照射される面上に、当該サーボ反射光ビームＬＳＲの光量を検出するためのサーボ光検出部７８Ｓが設けられている。このサーボ光検出部７８Ｓは、格子状に４分割されており、それぞれを検出領域７８Ａ、７８Ｂ、７８Ｃ及び７８Ｄとしている。
【０１５０】
因みに矢印ａ３により示される方向（図中の縦方向）は、サーボ反射光ビームＬＳＲが対象初期ホログラム層ＹＨＧ（図１２）に照射されるときの、当該対象初期ホログラム層ＹＨＧに形成されているトラックの走行方向に対応している。
【０１５１】
フォトディテクタ７８は、検出領域７８Ａ、７８Ｂ、７８Ｃ及び７８Ｄによりサーボ反射光ビームＬＳＲの一部をそれぞれ検出し、このとき検出した光量に応じて検出信号Ｕ３Ａ、Ｕ３Ｂ、Ｕ３Ｃ及びＵ３Ｄ（以下、これらをまとめてＵ３Ａ〜Ｕ３Ｄと呼ぶ）をそれぞれ生成する。さらにフォトディテクタ７８は、検出信号Ｕ３Ａ〜Ｕ３Ｄを増幅器８１Ａにより増幅して信号処理部６３及びレーザ駆動回路６２Ａへ送出する。
【０１５２】
因みに光ピックアップ６６では、対物レンズ７６によりサーボ光ビームＬＳが集光され対象初期ホログラム層ＹＨＧへ照射されるときの合焦状態が、集光レンズ７７によりサーボ反射光ビームＬＳＲが集光されフォトディテクタ７８に照射されるときの合焦状態に反映されるよう、各種光学部品の光学的位置が調整されている。
【０１５３】
信号処理部６３は、対物レンズ７６について非点収差法によりフォーカス制御を行うべく、次に示す（６）式に従って検出信号Ｕ３Ａ〜Ｕ３Ｄを基にフォーカスエラー信号ＳＦＥ３を算出し、これを駆動制御部６２の対物レンズ駆動回路６２Ｂへ供給する。
【０１５４】
【数６】
2009271954.tif 000008
【０１５５】
このフォーカスエラー信号ＳＦＥ３は、サーボ光ビームＬＳの焦点ＦＳと対象初期ホログラム層ＹＨＧとのフォーカス方向に関するずれ量を表すことになる。
【０１５６】
対物レンズ駆動回路６２Ｂは、フォーカスエラー信号ＳＦＥ３を増幅する等してフォーカス駆動信号ＳＦＤ３を生成し、これをアクチュエータ７９へ供給する。
【０１５７】
アクチュエータ７９は、対物レンズ７６を保持するレンズホルダ（図示せず）と光ピックアップ６６との間に介在しており、フォーカス駆動信号ＳＦＤ３に基づき、対物レンズ７６をフォーカス方向へ駆動する。
【０１５８】
かくして情報記録装置６０は、フォーカスエラー信号ＳＦＥ３を値「０」に収束させるよう、すなわちサーボ光ビームＬＳを対象初期ホログラム層ＹＨＧに合焦させるよう、対物レンズ７６をフィードバック制御（すなわちフォーカス制御）する。
【０１５９】
また信号処理部６３は、対物レンズ７６についてプッシュプル法によりトラッキング制御を行うべく、次に示す（７）式に従って検出信号Ｕ３Ａ〜Ｕ３Ｄを基にトラッキングエラー信号ＳＴＥ３を算出し、これを対物レンズ駆動回路６２Ｂへ供給する。
【０１６０】
【数７】
2009271954.tif 000009
【０１６１】
このトラッキングエラー信号ＳＴＥ３は、サーボ光ビームＬＳの焦点ＦＳと対象トラックＴＧとのずれ量を表すことになる。
【０１６２】
続いて対物レンズ駆動回路６２Ｂは、トラッキングエラー信号ＳＴＥ３を基にトラッキング駆動信号ＳＴＤ３を生成し、アクチュエータ７９へ供給する。アクチュエータ７９は、トラッキング駆動信号ＳＴＤ３に従い対物レンズ７６をトラッキング方向へ駆動する。
【０１６３】
かくして情報記録装置６０は、トラッキングエラー信号ＳＴＥ３を値「０」に収束させるよう、すなわちサーボ光ビームＬＳが対象初期ホログラム層ＹＨＧの対象トラックＴＧに合焦するよう、対物レンズ７６をフィードバック制御（すなわちトラッキング制御）する。
【０１６４】
このように情報記録装置６０は、サーボ反射光ビームＬＳＲの検出結果を基に、サーボ光ビームＬＳの焦点ＦＳを対象初期ホログラム層ＹＨＧの対象トラックＴＧ上に追従させるよう、対物レンズ７６のフォーカス制御及びトラッキング制御（これらをまとめてサーボ制御と呼ぶ）を行うようになされている。
【０１６５】
この結果情報記録装置６０は、対象初期ホログラム層ＹＨＧにおける、対象トラックＴＧとなる初期ホログラムＩＨ上の情報を記録すべき箇所（以下、これを目標位置ＰＧと呼ぶ）よりもやや先行した位置（以下これを先行位置ＰＦと呼ぶ）にサーボ光ビームＬＳの焦点ＦＳを合わせることになる。
【０１６６】
このとき記録光ビームＬＥの焦点ＦＥは、上述した焦点ＦＳとの相対的な位置関係により、対象初期ホログラム層ＹＨＧにおける、対象トラックＴＧとなる初期ホログラムＩＨ上の先行位置ＰＦよりもわずかに後方、すなわち目標位置ＰＧに合う状態となる。
【０１６７】
これにより対象初期ホログラム層ＹＨＧでは、記録光ビームＬＥの光エネルギー及び熱エネルギー等が焦点ＦＥに収束されるため、初期ホログラムＩＨのうち目標位置ＰＧの近傍部分が熱的若しくは光化学反応的に破壊され、局所的にホログラムとしての性質を失った記録マークＲＭが形成される。
【０１６８】
実際上情報記録装置６０は、例えば記録信号ＳＥが符号「０」のときは青色光ビームＬｂ１０の光量を抑えて初期ホログラムＩＨを保持する。一方情報記録装置６０は、記録信号ＳＥが符号「１」のときは青色光ビームＬｂ１０を光量を高め、初期ホログラムＩＨを破壊して記録マークＲＭを形成するようになされている。
【０１６９】
因みに情報記録装置６０は、記録光ビームＬＥと比較してサーボ光ビームＬＳの光量を約１／９程度と極めて低く抑えているため、当該記録光ビームＬＥにより初期ホログラムＩＨを破壊するときであっても、当該サーボ光ビームＬＳにより当該初期ホログラムＩＨを破壊してしまうことはない。
【０１７０】
（３−３）光ビームの光量制御
ところで光ピックアップ６６では、符号「１」を記録すべき箇所において記録光ビームＬＥにより初期ホログラムＩＨを確実に破壊し、当該箇所における光ビームの反射率を格段に低下させることが望ましい。
【０１７１】
実際上記録光ビームＬＥは、その光量が十分であれば、光ディスク１００の記録層１０１内に形成されている初期ホログラムＩＨを確実に破壊することができる。このとき、当該記録光ビームＬＥはほとんど反射されることはない。
【０１７２】
一方、記録光ビームＬＥの光量が不十分であった場合、当該記録光ビームＬＥは初期ホログラムＩＨを破壊することができず、その一部が反射されることになる。以下、このとき反射された光ビームを記録反射光ビームＬＥＲと呼ぶ。
【０１７３】
記録反射光ビームＬＥＲは、サーボ反射光ビームＬＳＲとほぼ同様の光路をたどり、最終的にフォトディテクタ７８に照射される。
【０１７４】
フォトディテクタ７８には、図１４に示したように、サーボ光検出部７８Ｓと同一面上に、当該サーボ光検出部７８Ｓに隣接して、記録反射光ビームＬＥＲの光量を検出するための記録光検出部７８Ｅが設けられている。
【０１７５】
記録光検出部７８Ｅは、記録反射光ビームＬＥＲの光量を検出し、その光量に応じた信号レベルでなる検出信号Ｕ３Ｅを生成して、増幅器８１Ｂを介してレーザ駆動回路６２Ａへ供給する。
【０１７６】
ここでレーザ駆動回路６２Ａは、検出信号Ｕ３Ｅを基に、レーザダイオード７１へ供給するレーザ駆動信号ＳＬＤの信号レベルを調整するようになされている。
【０１７７】
まずレーザ駆動回路６２Ａは、信号処理部６３から供給される記録信号ＳＥに応じ、記録する符号が値「１」又は値「０」のいずれであるかを認識すると共に、検出信号Ｕ３Ｅの信号レベルを認識する。
【０１７８】
ここで記録する符号が値「１」であった場合、情報記録装置６０は、光ディスク１００の目標位置ＰＧにおける初期ホログラムＩＨを破壊して記録マークＲＭを形成する必要がある。
【０１７９】
そこでレーザ駆動回路６２Ａは、検出信号Ｕ３Ｅの信号レベルが比較的高かった場合、初期ホログラムＩＨがあまり破壊されておらず残されている、すなわち目標位置ＰＧに記録マークＲＭが形成されておらず情報が未だ記録されていないものと認識し、レーザ駆動信号ＳＬＤの信号レベルを高める。
【０１８０】
これにより光ピックアップ６６は、目標位置ＰＧに照射する記録光ビームＬＥの強度を高めることができるので、初期ホログラムＩＨの破壊度合いを高めて記録マークＲＭの適切な形成を図ることができる。
【０１８１】
一方レーザ駆動回路６２Ａは、検出信号Ｕ３Ｅの信号レベルが比較的低い場合、初期ホログラムＩＨが適切に破壊されている、すなわち目標位置ＰＧに記録マークＲＭを形成でき情報を正しく記録できているものと認識し、レーザ駆動信号ＳＬＤの信号レベルを維持する。
【０１８２】
このようにレーザ駆動回路６２Ａは、検出信号Ｕ３Ｅの信号レベルを基にレーザ駆動信号ＳＬＤの信号レベルを調整することにより、目標位置ＰＧに適切な記録マークＲＭを形成するよう、いわゆる記録補償と同様の処理を行うようになされている。
【０１８３】
ところで光ピックアップ６６では、サーボ光ビームＬＳにより常に初期ホログラムＩＨを破壊することなく保持することが望ましい。
【０１８４】
例えばサーボ光ビームＬＳは、その強度が低ければ初期ホログラムＩＨを破壊することなく反射光ビームＬＳＲとなる。一方サーボ光ビームＬＳは、仮にその強度が高すぎた場合、初期ホログラムＩＨを破壊することになり、対象初期ホログラム層ＹＨＧに意図しない情報を記録してしまう。
【０１８５】
そこでレーザ駆動回路６２Ａは、まず検出信号Ｕ３Ａ〜Ｕ３Ｄを加算して加算値Ｕ３Ｓを算出する。さらにレーザ駆動回路６２Ａは、直前のレーザ駆動信号ＳＬＤの値を基に、光ビームＬ０の強度、すなわち対象初期ホログラム層ＹＨＧに照射されるサーボ光ビームＬＳの強度を認識し、例えば加算値Ｕ３Ｓを直前のレーザ駆動信号ＳＬＤの値で除算する等の演算により当該加算値Ｕ３Ｓを補正する。
【０１８６】
ここでレーザ駆動回路６２Ａは、加算値Ｕ３Ｓの信号レベルが所定の閾値よりも低い場合には、サーボ光ビームＬＳの焦点ＦＳ近傍における初期ホログラムＩＨがある程度破壊されている、すなわちサーボ光ビームＬＳの強度が高すぎると認識し、レーザ駆動信号ＳＬＤの信号レベルを低下させる。
【０１８７】
一方レーザ駆動回路６２Ａは、加算値Ｕ３Ｓの信号レベルが所定の閾値よりも高い場合には、サーボ光ビームＬＳの焦点ＦＳ近傍における初期ホログラムＩＨが破壊されておらず、当該サーボ光ビームＬＳの強度が適切であると認識し、レーザ駆動信号ＳＬＤの信号レベルを維持する。
【０１８８】
これにより光ピックアップ６６は、目標位置ＰＧに照射する記録光ビームＬＥの強度を適切に補正でき、初期ホログラムＩＨを破壊せず保持することができる。
【０１８９】
このようにレーザ駆動回路６２Ａは、検出信号Ｕ３Ａ〜Ｕ３Ｄの信号レベルを基にレーザ駆動信号ＳＬＤの信号レベルを調整することにより、サーボ光ビームＬＳによって初期ホログラムＩＨを不用意に破壊しないようになされている。
【０１９０】
（４）動作及び効果
以上の構成において、情報記録装置６０は、光ピックアップ６６のレーザダイオード７１から光ビームＬ０を出射させ、これをグレーティング７２により回折させて０次光及び１次光をそれぞれ記録光ビームＬＥ及びサーボ光ビームＬＳとする。
【０１９１】
さらに光ピックアップ６６は、対物レンズ７６により記録光ビームＬＥ及びサーボ光ビームＬＳをそれぞれ集光して焦点ＦＥ及びＦＳを形成し、トラックＴの走行方向に沿って焦点ＦＳを焦点ＦＥよりもわずかに先行させる。
【０１９２】
光ピックアップ６６は、サーボ光ビームＬＳが対象初期ホログラム層ＹＨＧにより反射されてなるサーボ反射光ビームＬＳＲをフォトディテクタ７８におけるサーボ光検出部７８Ｓの各検出領域７８Ａ〜７８Ｄにより検出し、検出信号Ｕ３Ａ〜Ｕ３Ｄを生成する。
【０１９３】
情報記録装置６０は、信号処理部６３において検出信号Ｕ３Ａ〜Ｕ３Ｄを基にフォーカスエラー信号ＳＦＥ３及びトラッキングエラー信号ＳＴ３を生成し、これらを基に駆動制御部６２により対物レンズ７６のフォーカス制御及びトラッキング制御を行う。
【０１９４】
従って情報記録装置６０は、サーボ反射光ビームＬＳＲを対象初期ホログラム層ＹＨＧの対象トラックＴＧに追従させることができ、これに伴い記録光ビームＬＥの焦点ＦＥも当該対象トラックＴＧに追従させることができる。
【０１９５】
この結果情報記録装置６０は、記録光ビームＬＥを目標位置ＰＧに正しく集光することができ、当該目標位置ＰＧの初期ホログラムＩＨを破壊して記録マークＲＭを適切に形成することができる。
【０１９６】
このとき情報記録装置６０は、サーボ光ビームＬＳの焦点ＦＳを、対象初期ホログラム層ＹＨＧにおける記録マークＲＭを未形成の箇所、すなわち初期ホログラムＩＨが未破壊の箇所に集光させている。このため情報記録装置６０は、記録済みのトラックＴ、すなわち初期ホログラムＩＨが部分的に破壊された箇所に当該サーボ光ビームＬＳの焦点ＦＳを位置させた場合と比較して、サーボ反射光ビームＬＳＲを確実に検出することができ、対物レンズ７６及び焦点ＦＥの位置精度を格段に高めることができる。
【０１９７】
特に情報記録装置６０は、対象初期ホログラム層ＹＨＧを利用して対物レンズ７６のフォーカス制御及びトラッキング制御を行っている。このため情報記録装置６０は、例えば基準面１０２を利用したサーボ制御を行う場合と比較して、初期ホログラムＩＨの形成精度が低く当該基準面１０２と対象初期ホログラム層ＹＨＧとの距離が一定でないような場合であっても、対象トラックＴＧに追従するよう精度良くサーボ制御を行うことができる。
【０１９８】
また情報記録装置６０は、グレーティング７２によりサーボ光ビームＬＳの光量を記録光ビームＬＥの約１／９程度に、すなわち極めて低く抑えることができるため、焦点ＦＥの初期ホログラムを破壊するときであっても、焦点ＦＳにおける初期ホログラムＩＨの意図しない破壊を未然に防止できる。
【０１９９】
さらに情報記録装置６０は、記録光ビームＬＥが対象初期ホログラム層ＹＨＧにより反射されてなる記録反射光ビームＬＥＲの検出結果を基に、レーザダイオード７１から出射する光ビームＬ０の光量をフィードバック制御する。
【０２００】
これにより情報記録装置６０は、符号「１」を記録すべく記録マークＲＭを形成したいときには初期ホログラムＩＨを確実に破壊できる程度まで記録光ビームＬＥの強度を確実に高めることができる。
【０２０１】
特に情報記録装置６０は、レーザ駆動回路６２Ａは、記録信号ＳＥを基に、いわゆるライトストラテジに従ってレーザ駆動信号ＳＬＤを生成している。すなわちレーザ駆動回路６２Ａは、例えば符号「１」を連続して記録する際、記録光ビームＬＥの光量を一定に保つのではなく、光量を随時変化させることにより、結果的に初期ホログラムＩＨを連続的に破壊するようになされている。
【０２０２】
この場合、本来記録したい符号そのものを値「０」又は「１」のいずれかで表す記録信号ＳＥと、連続的に変動するレーザ駆動信号ＳＬＤとが必ずしも比例しておらず、また記録反射光ビームＬＥＲの検出結果である検出信号Ｕ３Ｅと当該レーザ駆動信号ＳＬＤとも比例等の関係にはない。
【０２０３】
そこでレーザ駆動回路６２Ａは、検出信号Ｕ３Ｅと記録信号ＳＥとを比較することにより、本来記録したい符号が正しく記録されたか否かを認識でき、仮に正しく記録されていない場合であってもレーザ駆動信号ＳＬＤを調整することにより、いわゆる記録補償を行うことができる。
【０２０４】
このため情報記録装置６０は、記録すべき情報に応じて適切に初期ホログラムＩＨを破壊でき、対象トラックＴＧ上の目標位置ＰＧに記録マークＲＭを極めて高い記録精度で形成することができる。
【０２０５】
さらに情報記録装置６０は、サーボ反射光ビームＬＳＲの検出結果である加算値Ｕ３Ｓを基に、サーボ光ビームＬＳの焦点ＦＳ近傍の初期ホログラムＩＨの破壊状態を認識しレーザ駆動信号ＳＬＤを調整する。
【０２０６】
これにより情報記録装置６０は、サーボ光ビームＬＳにより誤って初期ホログラムＩＨを破壊してしまう危険性を大幅に低減できる。
【０２０７】
以上の構成によれば、情報記録装置６０は、光ビームＬ０をグレーティング７２により回折させて０次光及び１次光をそれぞれ記録光ビームＬＥ及びサーボ光ビームＬＳとし、それぞれを対物レンズ７６により集光して焦点ＦＥ及びＦＳを形成し、トラックＴの走行方向に沿って焦点ＦＳを焦点ＦＥよりもわずかに先行させる。また光ピックアップ６６は、サーボ光ビームＬＳが対象初期ホログラム層ＹＨＧにより反射されてなるサーボ反射光ビームＬＳＲを検出して検出信号Ｕ３Ａ〜Ｕ３Ｄを生成し、これらを基に対物レンズ７６のサーボ制御を行う。これにより情報記録装置６０は、対象トラックＴＧにおける初期ホログラムＩＨが未破壊の箇所にサーボ反射光ビームＬＳＲを追従させることができ、これに伴い記録光ビームＬＥの焦点ＦＥを目標位置ＰＧに合わせることができるので、当該目標位置ＰＧの初期ホログラムＩＨを破壊して記録マークＲＭを適切に形成することができる。
【０２０８】
（５）他の実施の形態
なお上述した実施の形態においては、フォトディテクタ７８におけるサーボ光検出部７８Ｓ（図１４）の位置や大きさ等を適切に定めることにより、記録反射光ビームＬＥＲについて何ら処理を施すことなく当該サーボ光検出部７８Ｓによりサーボ反射光ビームＬＳＲを検出するようにした場合について述べたが、本発明はこれに限らない。
【０２０９】
例えば図１２との対応部分に同一符号を付した図１５に示すように、光ピックアップ８６において、ビームスプリッタ７４により反射されたサーボ反射光ビームＬＳＲ及び記録反射光ビームＬＥＲを集光レンズ８７によりそれぞれ集光する。
【０２１０】
ここでアパーチャ８８には、サーボ反射光ビームＬＳＲの焦点付近のみ孔部が設けられており、当該サーボ反射光ビームＬＳＲを通過させるものの、記録反射光ビームＬＥＲを遮断する。
【０２１１】
その後サーボ反射光ビームＬＳＲは、コリメータレンズ８９により平行光に変換された後、集光レンズ７７によりフォトディテクタ９０に集光される。フォトディテクタ９０は、フォトディテクタ７８のサーボ光検出部７８Ｓと同様のサーボ光検出部９０Ｓが設けられており、検出領域７８Ａ、７８Ｂ、７８Ｃ及び７８Ｄと同様の検出領域９０Ａ、９０Ｂ、９０Ｃ及び９０Ｄによりそれぞれサーボ反射光ビームＬＳＲの光量を検出する。
【０２１２】
このように光ピックアップ８６は、アパーチャ８８により記録反射光ビームＬＥＲを遮断することができるので、サーボ反射光ビームＬＳＲのみを適切に検出することができる。この光ピックアップ８６のような構成は、フォトディテクタにおいて記録反射光ビームＬＥＲの影響を確実に排除したい場合に有効である。
【０２１３】
また上述した実施の形態においては、光ディスク１００の対象初期ホログラム層ＹＨＧにおいてトラッキング方向に関し焦点ＦＳと焦点ＦＥとの位置を揃えると共に、光ディスク１００上を当該焦点ＦＳが当該焦点ＦＥよりも先行させるようにした場合について述べたが、本発明はこれに限らない。
【０２１４】
例えば、図１３との対応部分に同一符号を付した図１７に示すように、トラッキング方向に関して焦点ＦＳと焦点ＦＥとの位置をトラックＴの中心線同士の間隔（いわゆるトラックピッチ）と同一の間隔ｇｔだけ離隔させ、且つ当該焦点ＦＳを未記録のトラックＴ側に位置させるようにしても良い。
【０２１５】
具体的には、グレーティング７２の光学特性を適宜調整し、且つフォトディテクタ７８におけるサーボ光検出部７８Ｓの位置を適宜調整すれば良い。
【０２１６】
この場合、光ディスク装置は、サーボ光ビームＬＳの焦点ＦＳを当該未記録のトラックＴ上に合わせるようフォーカス制御及びトラッキング制御をすることにより、記録光ビームＬＥの焦点ＦＥを対象トラックＴＧ上に位置させることができる。
【０２１７】
さらには、トラッキング方向に関する焦点ＦＳと焦点ＦＥとの距離を、間隔ｇｔに限らず当該間隔ｇｔの整数倍とするようにしても良い。要は、トラッキング方向に関する焦点ＦＳと焦点ＦＥとの距離を間隔ｇｔのｎ倍（ｎは１以上の整数）とし、且つ焦点ＦＳが未記録の初期ホログラムＩＨに照射されれば良い。
【０２１８】
またこの場合、サーボ光ビームＬＳは１本に限らない。例えば、いわゆる３スポット法によりトラッキングエラー信号を生成する場合に、サーボ光ビームＬＳを３本としても良い。このとき、３本のサーボ光ビームＬＳがいずれも未記録のトラックＴ（すなわち初期ホログラムＩＨ）上又はその近傍に照射されれば良い。
【０２１９】
さらに上述した実施の形態においては、（５）式における係数αを１≦α＜１．５とするようにした場合について述べたが、本発明はこれに限らず、当該係数αを１．５以上としても良い。この場合、係数αが大きすぎるとサーボが不安定となるおそれがあるため、できるだけ小さく抑えることが望ましい。
【０２２０】
さらに上述した実施の形態においては、フォトディテクタ７８に記録光検出部７８Ｅを設け記録反射光ビームＬＥＲの光量を検出し、その検出結果を基に記録光ビームＬＥの強度が十分であるか否かを認識してレーザダイオード７１からの出射光量を制御するようにした場合について述べたが、本発明はこれに限らない。
【０２２１】
例えば、レーザダイオード７１からの出射光量が適切であることが分かっているような場合に、当該出射光量の制御を省略しても良く、さらにフォトディテクタ７８から記録光検出部７８Ｅを省略しても良い。
【０２２２】
さらに上述した実施の形態においては、加算値Ｕ３Ｓの値を基にサーボ光ビームＬＳの光量が大きすぎるか否かを認識してレーザダイオード７１からの出射光量を制御するようにした場合について述べたが、本発明はこれに限らない。
【０２２３】
例えば、レーザダイオード７１からの出射光量が適切であることが分かっているような場合に、当該出射光量の制御を省略しても良い。
【０２２４】
さらに上述した実施の形態においては、グレーティング７２により回折された０次光及び１次光をそれぞれ記録光ビームＬＥ及びサーボ光ビームＬＳとするようにした場合について述べたが、本発明はこれに限らない。
【０２２５】
例えば、グレーティング７２による０次光及び１次光をそれぞれサーボ光ビームＬＳ及び記録光ビームＬＥとし、或いは１次光及び２次光をそれぞれ記録光ビームＬＥ及びサーボ光ビームＬＳとするなど、種々の組み合わせとしても良い。
【０２２６】
この場合、要は回折された光ビームとして２種類の光ビームをそれぞれサーボ光ビームＬＳ及び記録光ビームＬＥとすれば良く、このときサーボ光ビームＬＳの光量を記録光ビームＬＥの例えば１／９程度等に抑えていれば良い。
【０２２７】
さらに上述した実施の形態においては、グレーティング７２が光ビームＬ０を回折することにより記録光ビームＬＥ及びサーボ光ビームＬＳを生成するようにした場合について述べたが、本発明はこれに限らない。例えば、他の光学素子における分光等の種々の光学的作用によって光ビームＬ０から記録光ビームＬＥ及びサーボ光ビームＬＳを生成するようにしても良い。
【０２２８】
さらに上述した実施の形態においては、グレーティング７２をレーザダイオード７１及びコリメータレンズ７３の間に設けるようにした場合について述べたが、本発明はこれに限らない。例えば、コリメータレンズ７３とビームスプリッタ７４との間等、他の箇所にグレーティング７２を設けるようにしても良い。
【０２２９】
さらに上述した実施の形態においては、リレーレンズ７５を制御することにより記録光ビームＬＥの焦点ＦＥ及びサーボ光ビームＬＳの焦点ＦＳの深さ（すなわち基準面１０２からの距離）を切り換えるようにした場合について述べたが、本発明はこれに限らない。
【０２３０】
例えば、対物レンズ７６をフォーカス方向に大きく移動させることにより、焦点ＦＥ及び焦点ＦＳの深さを切り換えるようにしても良い。この場合、光ピックアップ６６からリレーレンズ７５を省略することができる。
【０２３１】
さらに上述した実施の形態においては、情報記録装置６０のレーザダイオード７１から出射する光ビームＬ０の波長を初期化装置１０の初期化用レーザ３１から出射する青色光ビームＬｂ０と同一の約４０５［ｎｍ］とするようにした場合について述べたが、本発明はこれに限らない。
【０２３２】
例えば、光ビームＬ０及び青色光ビームＬｂ０の双方が他の波長であっても良く、或いは光ビームＬ０の波長が青色光ビームＬｂ０の波長と相違していても良い。この場合、青色光ビームＬｂ０については、記録層１０１内に初期ホログラムＩＨを形成し得れば良く、また光ビームＬ０については、初期ホログラムＩＨを確実に破壊し得れば良い。
【０２３３】
さらに上述した実施の形態においては、情報記録装置６０が光ディスク１００に対して情報の記録のみを行うようにした場合について述べたが、本発明はこれに限らず、当該情報記録装置６０が光ディスク１００から情報を再生し得るようにしても良い。この場合、レーザダイオード７１から出射する光ビームＬ０の強度を低減し、フォトディテクタ７８の記録光検出部７８Ｅにおける検出結果を基に情報を再生することができる。
【０２３４】
さらに上述した実施の形態においては、初期化装置１０によって光ディスク１００の記録層１０１内に複数の初期ホログラム層ＹＨを形成するようにした場合について述べたが、本発明はこれに限らない。例えば、記録層１０１内に初期ホログラム層ＹＨが１層のみ形成されていても良い。この場合、光ピックアップ６６からリレーレンズ７５を省略することができる。
【０２３５】
さらに上述した実施の形態においては、光ディスク１００に基準面１０２を設けるようにした場合について述べたが、本発明はこれに限らない。例えば、基準面１０２を有する治具を用意しておき、初期化処理の時のみ光ディスク１００に当該治具を装着しても良い。
【０２３６】
さらに上述した実施の形態においては、光ディスク１００の片面のみに基板１０３を設けるようにした場合について述べたが、本発明はこれに限らず、その反対面にも同様の基板を設け、２枚の基板により記録層１０１を挟むようにしても良い。
【０２３７】
さらに上述した実施の形態においては、ディスク駆動部としてのスピンドルモータ６０と、光源としてのレーザダイオード７１と、分光部としてのグレーティング７２と、対物レンズとしての対物レンズ７６と、検出部としてのフォトディテクタ７８、信号処理部６３及び駆動制御部６２と、移動部としてのアクチュエータ７９とによって情報記録装置としての情報記録装置６０を構成する場合について述べた。しかしながら本発明はこれに限らず、その他種々の構成でなるディスク駆動部と、光源と、分光部と、対物レンズと、検出部と、移動部とによって情報記録装置を構成するようにしても良い。
【産業上の利用可能性】
【０２３８】
本発明は、映像や音声、或いはコンピュータ用のデータ等の情報を光ディスクに記録する光ディスク装置でも利用できる。
【図面の簡単な説明】
【０２３９】
【図１】光ディスクの外観構成を示す略線的斜視図である。
【図２】光ディスクの内部構成を示す略線的断面図である。
【図３】ホログラムの形成の説明に供する略線図である。
【図４】初期化装置の全体構成を示す略線図である。
【図５】初期化装置における光ピックアップの外観構成を示す略線的ブロック図である。
【図６】初期化装置における光ピックアップの内部構成を示す略線図である。
【図７】フォトディテクタの構成を示す略線図である。
【図８】初期ホログラムの形成（１）の説明に供する略線的断面図である。
【図９】初期ホログラムの形成（２）の説明に供する略線的上面図である。
【図１０】初期ホログラムの形成（３）の説明に供する略線的断面図である。
【図１１】情報記録装置の全体構成を示す略線図である。
【図１２】情報記録装置の光ピックアップの構成を示す略線図である。
【図１３】対象初期ホログラム層に対する記録光ビーム及びサーボ光ビームの照射を示す略線図である。
【図１４】フォトディテクタの構成を示す略線図である。
【図１５】他の実施の形態による情報記録装置の光ピックアップの構成を示す略線図である。
【図１６】他の実施の形態によるフォトディテクタの構成を示す略線図である。
【図１７】他の実施の形態による記録光ビーム及びサーボ光ビームの照射を示す略線図である。
【符号の説明】
【０２４０】
６０……情報記録装置、６１、……制御部、６２……駆動制御部、６３……信号処理部、６４……スピンドルモータ、６５……スレッドモータ、６６、８６……光ピックアップ、７１……レーザダイオード、７２……グレーティング、７６……対物レンズ、７８、９１……フォトディテクタ、７８Ｅ……記録光検出部、７８Ｓ……サーボ光検出部、７８Ａ、７８Ｂ、７８Ｃ、７８Ｄ……検出領域、７９……アクチュエータ、１００……光ディスク、１０１……記録層、Ｈ……ホログラム、ＩＨ……初期ホログラム、ＹＨ……初期ホログラム層、Ｔ……トラック、ＴＧ……対象トラック、Ｌｂ０……青色光ビーム、ＬＥ……記録光ビーム、ＬＥＲ……記録反射光ビーム、ＬＳ……サーボ光ビーム、ＬＳＲ……サーボ反射光ビーム、ＦＥ、ＦＳ……焦点。
【図１】
2009271954.tif 000010
【図２】
2009271954.tif 000011
【図４】
2009271954.tif 000012
【図５】
2009271954.tif 000013
【図６】
2009271954.tif 000014
【図７】
2009271954.tif 000015
【図８】
2009271954.tif 000016
【図９】
2009271954.tif 000017
【図１０】
2009271954.tif 000018
【図１１】
2009271954.tif 000019
【図１２】
2009271954.tif 000020
【図１３】
2009271954.tif 000021
【図１４】
2009271954.tif 000022
【図１５】
2009271954.tif 000023
【図１６】
2009271954.tif 000024
【図１７】
2009271954.tif 000025
【図３】
2009271954.tif 000026